(57)【要約】【課題】屋内に配置された燃焼機器から屋内空間を経由して屋外まで延設される燃焼機器用煙突について、煙突外部から内部に雨水が侵入したり煙突内部から外部にタールが漏出したりすることをコストの高騰を伴わずに回避可能にする。【解決手段】内部に煙道を形成する鋼板製の筒状体２０Ａを複数本連結してなり、基端側を屋内の燃焼機器１に接続され先端側を屋外に露出した状態で配設されて燃焼機器１の燃焼により発生した排気を屋外に導くための燃焼機器用煙突１Ａにであって、連結による重畳箇所及び壁又は屋根を貫通する箇所を除いて少なくとも室内部分の煙突周壁を構成する筒状体２０Ａが単層式とされ、この単層式の筒状体２０Ａの連結部分に外部から内部への雨水の浸入又は内部から外部へのタールの漏出を阻止するための所定の流通阻止手段を備えたものとした。【選択図】図１
2010249470.tif 000002
【特許請求の範囲】
【請求項１】
内部に煙道を形成する鋼板製の筒状体を複数本連結してなり、基端側を屋内の燃焼機器に接続され先端側を屋外に露出した状態で配設されて前記燃焼機器の燃焼により発生した排気を屋外に導くための燃焼機器用煙突において、連結による重畳箇所及び壁又は屋根を貫通する箇所を除いて少なくとも室内部分の煙突周壁を構成する前記筒状体が単層式とされ、該単層式の筒状体の連結部分に外部から内部への雨水の浸入又は内部から外部へのタールの漏出を阻止するための所定の流通阻止手段を備えている、ことを特徴とする燃焼機器用煙突。
【請求項２】
前記筒状体は基端側と先端側の開口端の径が異なり、大径の前記開口端に他の前記筒状体の小径の開口端側を挿入して固定する連結方式とされ、前記流通阻止手段は、前記大径の開口端からの所定深さ位置で内周面から内側に所定の突出高さで周方向円環状に形成された内リブであって、挿入された前記小径の開口端が側面に密着状態で当接して停止するものとされ、前記内リブは、前記小径の開口端が当接する部分の内周面からの立ち上がり角度が４５度以上であって突出高さが挿入された前記小径の開口端の内周面の高さの２．０倍以上である、ことを特徴とする請求項１に記載した燃焼機器用煙突。
【請求項３】
前記筒状体は基端側と先端側の開口端の径が異なり、大径の前記開口端に他の前記筒状体の小径の開口端側を挿入して固定する連結方式とされ、前記流通阻止手段は、前記大径の開口端側で周壁を縦断面鈎状に内周面側に折り返してなる内折り返し部と、前記小径の開口端側で周壁を縦断面鈎状に外周面側に折り返してなる外折り返し部の組み合わせからなり、前記内折り返し部と前記外折り返し部とが互いに係合することにより、液体の内外流通を阻止しながら２本の前記筒状体が連結する、ことを特徴とする請求項１に記載した燃焼機器用煙突。
【請求項４】
前記筒状体は基端側と先端側の開口端の径が同一であって、該開口端の内径よりも外径の小さい筒状連結部材の両端側を対向した前記筒状体の開口端に挿入して固定する連結方式、又は先端側が前記開口端の内径よりも小さく基端側が開前記口端の外径よりも内径の大きい筒状連結部材の両端側に対向した筒状体の開口端を挿して固定する連結方式とされ、前記流通阻止手段は、前記筒状体の基端側開口端からの所定深さ位置で内周面から内側に所定の突出高さで周方向円環状に形成された内リブであって、前記基端側の開口端に挿入された前記筒状連結部材の先端が側面に略密着状態で当接して停止するものとされ、前記内リブは、前記筒状連結部材の先端が当接する部分の内周面からの立ち上がり角度が４５度以上であって突出高さが挿入された前記筒状連結部材先端の内周面の高さの２．０倍以上である、ことを特徴とする請求項１に記載した燃焼機器用煙突。
【請求項５】
薪ストーブ用であることを特徴とする請求項１，２，３または４に記載した燃焼機器用煙突。
【請求項６】
請求項１，２，３，４または５に記載した燃焼機器用煙突の少なくとも単層式の部分を構成する前記筒状体であって、該筒状体の連結部分を構成する一方又は両方の開口端側に、外部から内部への雨水の浸入又は内部から外部へのタールの漏出を阻止するための前記流通阻止手段を備えている、ことを特徴とする煙突構成部品。
【発明の詳細な説明】
【技術分野】
【０００１】
本発明は、燃焼機器用煙突に関し、殊に、複数の筒状体を連結して構成され、屋内に配置した燃焼機器の排気を屋外に導くものであり、煙突の外部から内部に雨水が侵入したり煙突の内部から外部にタールが漏出したりすることを回避可能な燃焼機器用煙突に関する。  
【背景技術】
【０００２】
ストーブのような屋内に配置される燃焼機器では、これを壁に埋設している場合を除きその燃焼に伴う排気（燃焼ガスと煙）を屋外に導く煙突は、屋内空間経由で屋外まで延出して設けるのが一般的であり、屋内露出部分の輻射熱による暖房効果を期待している場合も多い。
【０００３】
また、斯かる燃焼機器用の煙突では、完全横向き配置の場合を除き、高温の排気と低温の外部空気との比重差により排気が上昇することでドラフト機能が発揮され、排気がスムースに屋外に出ることにより燃焼機器の燃焼状態を良好に保つことを可能としている。
【０００４】
そのため、煙突構成部品である筒状体が金属薄板等の熱伝導率の高い材料からなる場合には、例えば特開２００４−１３１０３８号公報に記載されているように、これを二重にして間に空気の層を設けて断熱性能を高めることが行われている。しかし、このような二重煙突では、筒状体を単層にしたシングル煙突の場合と比べ約３倍の設備コストを要する。
【０００５】
これに対し、煙突内部の排気が冷却されやすいのは煙突が屋外に露出した部分であることから、屋外部分だけ二重としながら屋内部分をシングルにしてコストを低廉に抑えることが考えられる。或いは、煙突を構成する筒状体自体に遮熱塗装等により所定レベル以上の遮熱・断熱性能を附与することで煙突内部の過剰な温度低下を回避するものとして、シングル煙突でも上述した不都合を回避することも考えられる。
【０００６】
これらの方法においてシングル煙突または煙突シングル部分では、適度な長さの筒状体を単層式に複数本連結して煙突を構成するが、その連結方式として図１５（Ａ）に示す一般にテーパー管と呼ばれる筒状体２０Ｉの場合、その一端に設けた小径部２２を上向きにして他の筒状体２０Ｉの大径側開口端を上から被せて挿す正挿し方式と、これとは逆に図１５（Ｂ）に示すように筒状体２０Ｉの大径側開口端を上向きにして他の筒状体２０Ｉの小径部２２を上から挿す逆挿し方式とがある。
【０００７】
また、図１６（Ａ）に示す一般に拡張管と呼ばれる筒状体２０Ｈでも、その一端に設けた大径部２３を下向きにして他の筒状体２０Ｈの小径側開口端を下から挿す正挿し方式と、これとは逆に図１６（Ｂ）に示すように筒状体２０Ｈの大径部２３を上向きにして他の筒状体２０Ｈの小径側開口端を上から挿す逆挿し方式とが周知である。
【０００８】
ところが、前述の正挿しタイプでは図１５（Ａ）や図１６（Ａ）に示すように、煙突内周面を伝って降りてくるタール等の液状汚れ５０が、筒状体連結部分から外部に漏出して煙突外周面を汚すとともに、その下方に位置する物までも汚してしまう。一方、前述の逆挿しタイプでは、図１５（Ｂ）や図１６（Ｂ）に示すように煙突外周面を伝って降りてくる雨水等の水滴６０が、筒状体連結部分から煙突内部に侵入して、燃焼機器の燃焼性能に悪影響を及ぼすことが知られている。
【先行技術文献】
【特許文献】
【０００９】
【特許文献１】特開２００４−１３１０３８号公報
【発明の概要】
【発明が解決しようとする課題】
【００１０】
本発明は、上記のような問題を解決しようとするものであり、屋内に配置された燃焼機器から屋内空間を経由して屋外まで延設される燃焼機器用煙突について、煙突外部から内部に雨水が侵入したり煙突内部から外部にタールが漏出したりすることをコストの高騰を伴わずに回避できるようにすることを課題とする。
【課題を解決するための手段】
【００１１】
そこで、本発明は、内部に煙道を形成する鋼板製の筒状体を複数本連結してなり、基端側を屋内の燃焼機器に接続され先端側を屋外に露出した状態で配設されて燃焼機器の燃焼により発生した排気を屋外に導くための燃焼機器用煙突において、連結による重畳箇所及び壁又は屋根を貫通する箇所を除いて少なくとも室内部分の煙突周壁を構成する筒状体が単層式とされ、この単層式筒状体の連結部分に外部から内部への雨水の浸入又は内部から外部へのタールの漏出を阻止するための所定の流通阻止手段を備えている、ことを特徴とするものとした。
【００１２】
このように、少なくとも単層式の部分を構成する鋼板製の筒状体の連結部に、液体の内外流通を阻止する流通阻止手段を設けたことにより、簡易な構成で筒状体の連結部を介した雨水の侵入やタールの漏出を回避できるものとなる。
【００１３】
この場合、その筒状体は基端側と先端側の開口端の径が異なり、大径の開口端に他の筒状体の小径の開口端側を挿入して固定する連結方式とされ、その流通阻止手段は、筒状体の大径の開口端からの所定深さ位置で内周面から内側に所定の突出高さで周方向円環状に形成された内リブであって、挿入された小径の開口端がその側面に密着状態で当接して停止するものとされ、その内リブは、小径の開口端が当接する部分の内周面からの立ち上がり角度が４５度以上であってその突出高さが挿入された小径の開口端の内周面の高さの２．０倍以上である、ことを特徴としたものとすれば、筒状体を単層にしたシングル煙突であっても、挿入された小径の開口端がその内周面よりも高い内リブの側面に密着して当接することにより、筒状体連結部を介した雨水の侵入・タールの漏出を回避しやすいものとなる。
【００１４】
或いは、その筒状体は基端側と先端側の開口端の径が異なり、大径の開口端に他の筒状体の小径の開口端側を挿入して固定する連結方式とされ、その流通阻止手段が、大径の開口端側で周壁を縦断面鈎状に内周面側に折り返してなる内折り返し部と、小径の開口端側で周壁を縦断面鈎状に外周面側に折り返してなる外折り返し部の組み合わせからなり、内折り返し部と外折り返し部とが互いに係合することにより、液体の内外流通を阻止しながら２本の筒状体が連結するものとしても同様である。
【００１５】
また或いは、その筒状体は、基端側と先端側の開口端の径が同一であって、その開口端の内径よりも外径の小さい筒状連結部材の両端側を対向した筒状体の開口端に挿入して固定する連結方式、又は先端側が開口端の内径よりも小さく基端側が開口端の外径よりも内径の大きい筒状連結部材の両端側に対向した筒状体の開口端を挿して固定する連結方式とされ、その流通阻止手段は、筒状体の基端側開口端からの所定深さ位置で内周面から内側に所定の突出高さで周方向円環状に形成された内リブであって、基端側の開口端に挿入された筒状連結部材の先端がその側面に密着状態で当接して停止するものとされ、その内リブは、筒状連結部材の先端が当接する部分の内周面からの立ち上がり角度が４５度以上であってその突出高さが挿入された筒状連結部材先端の内周面の高さの２．０倍以上である、ことを特徴としたものとすれば、上記同様に筒状体の連結部から雨水が侵入したりタールが漏出したりすることを回避しやすいものとなる。
【００１６】
さらに、上述した燃焼機器用煙突は薪ストーブ用であるものとすれば、煙突外周から放出される熱量が適度に調整されて、煙突自体が暖房機能を発揮しながら燃焼・火傷事故を回避可能なものとなり、且つ、良好な燃焼状態を維持しやすいものとなる。
【００１７】
さらにまた、上述した燃焼機器用煙突の少なくとも単層式の部分を構成する筒状体であって、その連結部分を構成する一方又は両方の開口端側に外部から内部への雨水の浸入又は内部から外部へのタールの漏出を阻止するための上述した流通阻止手段を備えていることを特徴とした煙突構成部品とすることにより、これを連結するだけで上述した燃焼機器用煙突を容易に作成することができる。
【発明の効果】
【００１８】
シングル煙突部分を構成する鋼板製の筒状体連結部に液体の内外流通を阻止する流通阻止手段を設けた本発明によると、煙突外部から内部に雨水が侵入したり煙突内部から外部にタールが漏出したりするのを、コストの高騰を伴うことなく回避することができるものである。
【図面の簡単な説明】
【００１９】
【図１】本発明の実施の形態の配置状態を示す正面図。
【図２】本発明の実施の形態の配置状態を示す正面図。
【図３】図１及び図２の燃焼機器用煙突を構成するテーパー管タイプの筒状体の縦断面図。
【図４】図３の筒状体を正挿し方式で連結した状態を示す部分縦断面図。
【図５】図３の筒状体の応用例としての拡張管タイプの筒状体を正挿し方式で連結した状態を示す部分縦断面図。
【図６】図５の筒状体を逆挿し方式で連結した状態を示す部分縦断面図。
【図７】（Ａ）は図３の筒状体の他の応用例として寸胴タイプの２つの筒状体を筒状連結部材で連結する場合を示す正面図、（Ｂ）はその連結状態を示す部分縦断面図。
【図８】（Ａ）は、図７の寸胴タイプの２つの筒状体を異なるタイプの筒状連結部材で連結する場合を示す正面図、（Ｂ）はその連結状態を示す部分縦断面図。
【図９】（Ａ）は、図７の寸胴タイプの２つの筒状体を異なるタイプの筒状連結部材で連結する場合を示す正面図、（Ｂ）はその連結状態を示す部分縦断面図。
【図１０】（Ａ）は、図７の寸胴タイプの２つの筒状体を異なるタイプの筒状連結部材で連結する場合を示す正面図、（Ｂ）はその連結状態を示す部分縦断面図。
【図１１】図５の拡張管タイプの筒状体の応用例であって、内折り返し部と外折り返し部とからなる流通阻止手段を設けた場合を示す縦断面図。
【図１２】（Ａ）は図４のテーパー管タイプの筒状体の応用例であって立ち上り角度が９０度を超えて折り返し状とされた内リブを設けた場合を示す縦断面図、（Ｂ）は図５の拡張管タイプの筒状体の応用例であって立ち上り角度が９０度を超えて折り返し状とされた内リブを設けた場合を示す縦断面図。
【図１３】（Ａ），（Ｂ），（Ｃ），（Ｄ），（Ｅ），（Ｆ）は、図４の内リブの形状の応用例を示す縦断面拡大部分図。
【図１４】（Ａ）は図１５（Ａ）の筒状体に別部品の流通阻止手段を設けた場合を示す部分縦断面図、（Ｂ）は図１６（Ｂ）の筒状体に別部品の流通阻止手段を設けた場合を示す部分縦断面図。
【図１５】（Ａ）は従来のテーパー管タイプの正挿し方式による連結状態を示す部分縦断面図、（Ｂ）は従来のテーパー管タイプの逆挿し方式による連結状態を示す部分縦断面図。
【図１６】（Ａ）は従来の拡張管タイプの正挿し方式による連結状態を示す部分縦断面図、（Ｂ）は従来の拡張管タイプの逆挿し方式による連結状態を示す部分縦断面図。
【発明を実施するための形態】
【００２０】
以下に、図面を参照しながら本発明を実施するための形態を説明する。
【００２１】
図１は、本発明における実施の形態の一例である屋根抜き式の燃焼機器用の煙突２Ａの設置状態を示しており、図２は他の一例である壁抜き式の燃焼機器用の煙突２Ｂの設置状態を示している。燃焼機器１として、例えば図のような薪ストーブが想定されるが、これに接続する図１の煙突２Ａは、連結による筒状体重畳部と屋根３の貫通部３ａで筒状のカバー３０で覆われている部分以外は、筒状体２０Ａ，２０Ａ’が単層式のシングル煙突とされている。また、図２の煙突２Ｂの場合も、連結による筒状体重畳部と壁４の貫通部４ａで筒状のカバー３１に覆われている部分以外は、煙突構成部材である筒状体２０Ａ，２０Ａ’（屈曲部を形成する筒状体２３Ａ，２３Ｂを含む）が単層式とされ、シングル煙突を構成している。
【００２２】
尚、煙突２Ａ，２Ｂに共通して、図のように筒状体２０Ａ，２０Ａ’を単層式で使用する場合において、少なくともその屋外部分の筒状体２０Ａ’には、金属板２１０内周面または内周面・外周面の両方に、所定レベルの遮熱・断熱機能を発揮する遮熱層を設けておくことが好ましい。
【００２３】
これは、煙突屋外部分では内部の過剰な温度低下を回避して良好なドラフト作用を維持するために内外保温性を確保する必要があるところ、所定レベル以上の遮熱・断熱機能を発揮する遮熱層を設けた筒状体を屋使用することにより、二重にしなくても良好なドラフト作用を確保しやすくなるからである。従って、筒状体２０Ａ’に遮熱層を設けない場合には、少なくとも屋外部分は二重煙突にしておくことが推奨される。尚、筒状体２０Ａ’は、筒状体２０Aと構成を同じくして単に大径にしただけのものであるため、以下の説明において、その構成の詳細及び応用例については省略するものとする。
【００２４】
この煙突構成部材としての筒状体２０Ａは、図３の縦断面図に示すように、ステンレス等の薄板からなる鋼板を筒状に形成してなるものであり、先端側に次の筒状体２０Ａの基端側に挿入する部分である小径部２２を有している。そして、この筒状体２０Ａは、縦列した筒状体２０Ａ，２０Ａの基端側と先端側とを連結する連結部分において、外部から内部への雨水の浸入又は内部から外部へのタールの漏出を阻止する流通阻止手段として内周面側に突出した円環状の内リブ２１ａを備えている点を特徴としている。
【００２５】
即ち、従来例において、ドラフト機能を維持する目的で二重煙突にした場合には、筒状体連結部分での雨水の浸入・タールの漏出は殆ど問題とならなかったが、低コスト化の実現等を目的として上記のようにシングル煙突とした場合には、図１５、図１６に示したように筒状体連結部分での雨水の浸入・タールの漏出が問題となるため、以下に詳述する流通阻止手段を設けてこの問題を解決したものである。
【００２６】
図４は、このような目的のために設けられた流通阻止手段としての内リブ２１ａの構成と機能を説明するためのものであり、テーパー管タイプの筒状体２０Ａを正挿しで連結した場合を示している。小径部２２を上向きにした筒状体２０Ａに、次の筒状体２０Ａを小径部２２の外径よりも内径が大きい基端側の開口端を上から被せるように挿すと、所定深さ位置で内周面から内側に円環状に突出した内リブ２１ａの側面（下面）に小径部２２の開口端が当接し、内リブ２１ａが挿入時のストッパとして機能する。
【００２７】
そして、この内リブ２１ａは、円中の拡大部分図に示すように、その突出高さが挿入した小径部２２の内周面の高さよりも２．０倍以上高くなっており、且つ、小径部２２開口端が内リブ２１ａの側面に当接する部分の内周面からの立ち上がり角度が４５度以上とされている関係で密着した状態で当接する。
【００２８】
そのため、小径部２２外周面と内リブ２１ａよりも下側の筒状体２０Ａ内周面との間にタールが侵入しにくくなり、タールが外部へ殆ど漏出しないようになっている。また、この内リブ２１ａの存在により筒状体２０の横断面形状の真円度が維持されやすくなり連結部分に隙間が生じにくくなるため、液体流通阻止効果を一層確実なものとしている。
【００２９】
一方、図５は、一方の開口端を拡大して大径部２３とした拡張管タイプの筒状体２０Ｂにおける内リブ２１ｂの構成と機能を説明するためのものであり、小径側開口端を上向きにした筒状体２０Ｂの上から、次の筒状体２０Ｂの大径部２３を被せるように挿し、正挿し方式で連結した状態を示している。
【００３０】
この筒状体２０Ｂには、開口端からの所定深さ位置で大径部２３が終わる部分に内リブ２１ｂが設けられており、この内リブ２１ｂも前述の内リブ２１ａと同様にその突出高さが挿入した開口端の内周面よりも２．０倍以上高いとともに、その当接部分の立ち上がり角度が４５度以上となっているため、前述と同様の機能を発揮するようになっている。
【００３１】
一方、図６は、この筒状体２０Ｂを逆挿し方式で連結した場合を示しており、例えば室内など上から雨水が浸入する畏れのない箇所において、タールの漏出をより確実に回避したい場合に好適である。この場合、大径部２３を上向きにした筒状体２０Ｂに、次の筒状体２０Ｂの小径側開口端を上から挿入するが、小径側開口端は大径部２３が終わる深さ位置で内周面から内側に突出した内リブ２１ｂ側面（上面）に当接して、前述と同様の機能が発揮される。
【００３２】
従って、筒状体２０Ｂを屋外部分で正挿し方式としながら屋内部分では逆挿し方式として、後述するような所定の筒状連結手段を用いて連結することにより、屋外で雨水の浸入を確実に回避しつつ、屋内ではタールの漏出を確実に回避可能なものとすることができる。
【００３３】
図７〜図１０は、基端側と先端側の開口端の径が同一とされたいわゆる寸胴管タイプの筒状体２０Ｄを連結する場合を説明するためのものであり、図７は、鋼板を筒状に形成して筒状体２０Ｄの内径よりも僅かに小さい外径とした筒状連結部材３０を連結部分に挿入・介装して、筒状体２０Ｄ，２０Ｄを連結する場合を示しており、筒状体２０Ｄは基端側の開口端から所定深さ位置に前述した内リブ２１ａと同様の内リブ２１ｃが形成されている点が特徴となっている。
【００３４】
図７（Ａ）に示す筒状連結部材３０は、その中途位置から周方向に外周面から円環状に外側に突出した外リブ３０ａを備えているが、これは筒状体２０Ｄ，２０Ｄのストッパとして機能するものである。そして、図７（Ｂ）に示すように連結状態で筒状連結部材３０の先端が筒状体２０Ｄの内リブ２１ｃに当接するようになっており、前述した内リブ２１ａの場合と同様の機能を発揮する。
【００３５】
図８（Ａ）に示す筒状連結部材３１は、その中途位置から周方向に沿って外周面から円環状に外側に突出した隔壁３１ａを備えている。この隔壁３１ａも前述の筒状連結部材３０の外リブ３０ａと同様のストッパ機能を発揮するが、上向きの開口端との密着度が高い分、外リブ３０ａよりも外部からの雨水の浸入阻止機能が高いものとなっている。
【００３６】
図９は、図８の筒状連結部材３１の応用例としての筒状連結部材３２を用いた場合を示しており、その中央部外周に沿って設けた隔壁３２ａは、水平方向の円環部３１１までは筒状連結部材３１と同様であるが、図９（Ｂ）の縦断面図に示すように、その円環部３１１の周縁側から下方向に延びて下側の筒状体２０Ｄの外周面に沿う周方向の帯状部３１２を形成しており、内リブ２１ｃによるタールの漏出防止機能とともに、連結部の上方から筒状体２０Ｄ外周面を伝って降りてくる雨水が煙突内部に侵入するのを確実に回避可能としている。  
【００３７】
図１０は、前述の筒状連結部材３２の応用例としての筒状連結部材３３を用いた場合を示しており、筒状連結部材３２の中央部外周に設けた隔壁３２ａの帯状部３１２をさらに下方向に延長した外筒３３ａとして、下から筒状部材２０Ｄ先端側を挿入可能としながら内筒を省略したものであり、筒状連結部材３２と同様の機能を発揮するものであるが、筒状連結部材３２よりも作成しやすい形状となっている。
【００３８】
図１１は、図５に示した拡張管タイプの筒状体２０Ｂの応用例であって、大径の開口端側に設けた内折り返し部２４ａと、小径の開口端側に設けた外折り返し部２４ｂの組み合わせからなる流通阻止手段を設けた筒状体２０Ｇ，２０Ｇによる連結部分の縦断面図を示しており、その内折り返し部２４ａは大径の開口端側で鋼板製の周壁を縦断面鈎状となるように内周面側に折り返して形成され、外折り返し部２４ｂは小径の開口端側で鋼板製の周壁を縦断面鈎状となるように外周面側に折り返して形成されている。
【００３９】
そして、図のように筒状体２０Ｇ基端側の大径の開口端に、他の筒状体２０Ｇ先端側の小径の開口端を下から挿入して、内折り返し部２４ａと外折り返し部２４ｂの鈎状構造を互いに係合させることにより、内周面を伝うタールや外周面を伝う雨水の内外流通を確実に阻止可能としながら、両筒状体２０Ｇ，２０Ｇを堅固に連結することができる。
【００４０】
この場合、その係合部分を内外から圧迫変形させてカシメ式に固定することで、連結状態が堅固なものとなる。また、内折り返し部と外折り返し部による流通阻止手段で筒状体を連結するものであれば、図１１の筒状体２０Ｇが上下逆になる逆挿し方式や、筒状体を拡張管ではなくテーパー管にした場合でも前記同様の機能を発揮するものとなる。
【００４１】
図１２（Ａ）は、図４のテーパー管タイプの筒状体２０Aの応用例であり、内周面からの立ち上り角度が９０度を超えて折り返し状とされた内リブ２４ｃを設けた筒状体２０Ｊの連結状態を示す縦断面図であり、図１２（Ｂ）は図５の拡張管タイプの筒状体２０Ｂの応用例であり、内周面からの立ち上り角度が９０度を超えて折り返し状とされた内リブ２４ｄを設けた筒状体２０Ｋの連結状態を示す縦断面図である。このように、内リブを折り返し状にしてその鋭角部に他の筒状体の開口端を挿入・当接させて挟み込むことで、連結状態が堅固になるとともに一層確実な液体の流通阻止機能を発揮するものとなる。
【００４２】
尚、近年の鋼板成形技術では、ロール状の鋼板である源単から筒状体を成形する際に、図１１，１２に示した筒状体２０Ｇ，２０Ｊ，２０Ｋのように周壁を鋭角的に折り返して折り返し部や内リブを形成することは比較的容易なものとなっている。
【００４３】
図１３は、上述した内リブ２１ａ，２１ｂ，２１ｃの形状における応用例を示すものであり、図１３（Ａ）に示すように、断面三角形状に突出した内リブ２１ｄ（斜辺立ち上がり角度４５度以上）としたり、図１３（Ｂ）に示すように断面台形状に突出した内リブ２１ｅ（側面立ち上がり角度４５度以上）としたりしても、上述した内リブ２１ａ，２１ｂ，２１ｃと同様の機能を発揮するものとなる。
【００４４】
さらに、図１３（Ｃ），（Ｄ）に示すように、挿入した開口端が当接する面を直角にした内リブ２１ｆ，２１ｇとしたり、図１２（Ｅ），（Ｆ）に示すように挿入した開口端が当接する面を鋭角（内周面からの立ち上がり角度９０度超）にした内リブ２１ｈ，２１ｉとしてもよく、これにより液体の内外流通阻止機能が一層優れたものとなる。
【００４５】
図１４（Ａ）は、図１５に記載した従来のテーパー管タイプの筒状体２０Ｇを正挿し方式で連結する場合に、流通阻止手段としての液体誘導部材２５を設けてなる筒状体２０Ｅを示しており、図１４（Ｂ）は、図１６に記載した従来の拡張管タイプの筒状体２０Ｈを逆挿し方式で連結する場合に、流通阻止手段としての液体誘導部材２６を設けてなる筒状体２０Ｆを示しており、このようにしてもタールの漏出や雨水の浸入を回避することが可能となる。
【００４６】
尚、上述した筒状体２０Ｄ，２０Ｅ，２０Ｆ，２０Ｇ，２０Ｊ，２０Ｋも、前述した理由で遮熱層を備えているものであることが好ましい。また、これら筒状体の内周側最上面（遮熱層を内周面に設けている場合はさらにその上面）に、多孔質の基剤中に所定の触媒を分散してなり、付着したタール、油脂、汚れ等の有機成分を分解して水と炭酸ガスにする、いわゆるセルフクリーニング塗料を塗布してなるセルフクリーニング層を設ければ、内周面に付着するタールの量を一層減らすことができる。
【００４７】
以上、述べたように、屋内に配置された燃焼機器から屋内空間を経由して屋外まで延設された燃焼機器用煙突について、本発明により、良好なドラフト機能を維持しながら、低コストで筒状体連結部を介した雨水の浸入やタールの漏出を回避できるようになった。
【符号の説明】
【００４８】
１  燃焼機器、２Ａ，２Ｂ  燃焼機器用煙突、２０Ａ，２０Ａ’，２０Ｂ，２０Ｄ，２０Ｅ，２０Ｆ，２０Ｇ，２０Ｊ，２０Ｋ  筒状体、２１ａ，２１ｂ，２１ｃ，２１ｄ，２１ｅ，２４ｃ，２４ｄ  内リブ、２２  小径部、２３  大径部、２４ａ  内折り返し部，２４ｂ  外折り返し部、２５，２６  液体誘導部材、３０，３１，３２，３３  筒状連結部材、３０ａ  外リブ、３１ａ，３２ａ  隔壁、３３ａ  外筒、５０  液状汚れ、６０  水滴
【図１】
2010249470.tif 000003
【図２】
2010249470.tif 000004
【図３】
2010249470.tif 000005
【図４】
2010249470.tif 000006
【図５】
2010249470.tif 000007
【図６】
2010249470.tif 000008
【図７】
2010249470.tif 000009
【図８】
2010249470.tif 000010
【図９】
2010249470.tif 000011
【図１０】
2010249470.tif 000012
【図１１】
2010249470.tif 000013
【図１２】
2010249470.tif 000014
【図１３】
2010249470.tif 000015
【図１４】
2010249470.tif 000016
【図１５】
2010249470.tif 000017
【図１６】
2010249470.tif 000018